(57)【要約】【課題】ハンドオーバー開始時に移動機がハンドオーバーの対象セルを検出してない場合であっても、セルサーチを行うことなくハンドオーバーをすることができるハンドオーバー方法を得る。【解決手段】ハンドオーバー先として、移動機ＭＳが検出していないセルを指定したメッセージが基地局ＢＳから移動機ＭＳに送信されたとき、移動機ＭＳは現在の受信パス位置とハンドオーバー後の受信パス位置とが同じであると推定して、未検出セルに対するハンドオーバーを行う。【選択図】          図３
2005295358.tif 000002
【特許請求の範囲】
【請求項１】
ＣＤＭＡ通信方式を用いた移動体通信システムにおいて、夫々基地局を有する複数のセル間を移動する移動機の進行に伴い、該移動機と接続する前記基地局が変更される際に行われるハンドオーバーの方法であって、
ハンドオーバー先として、前記移動機が検出していないセルを指定したハンドオーバー開始メッセージが前記基地局から送信されたとき、前記移動機はハンドオーバー前の受信パス位置とハンドオーバー後の受信パス位置とが同じであると推定して、前記未検出セルに対するハンドオーバーを行うことを特徴とするハンドオーバー方法。
【請求項２】
前記移動機が複数の前記基地局と接続可能とされ、前記ハンドオーバーは、前記移動機の進行に伴い、該移動機と接続する前記基地局が追加されたり削除されたりするソフトハンドオーバーであることを特徴とする請求項１に記載のハンドオーバー方法。
【請求項３】
前記移動機が前記基地局に接続され、前記ハンドオーバーは、前記移動機の移動に伴い該移動機と接続する前記基地局が順次切り替えられるハードハンドオーバーであって、前記メッセージに含まれるハードハンドオーバー後のデータの送信タイミングがハンドオーバー前と同じに指定されている場合に、前記移動機は前記ハードハンドオーバーを行うことを特徴とする請求項１に記載のハンドオーバー方法。
【請求項４】
前記ハンドオーバーの後に、前記未検出セルに対してセルサーチを行うことを特徴とする請求項１から３のいずか１項に記載のハンドオーバー方法。
【請求項５】
前記ハンドオーバーの後に、前記ハンドオーバー開始メッセージに含まれたオフセットに基づいて前記未検出セルのＳＦＮの先頭位置を算出することを特徴とする請求項１から４のいずか１項に記載のハンドオーバー方法。
【請求項６】
前記ハンドオーバーを行う前に、通信品質を求めておき、前記ハンドオーバーを行い前記算出された前記パス位置で通信を開始した後に、再度通信品質を求め、ハンドオーバー前よりも通信品質が劣化した場合にセルサーチを行うことを特徴とする請求項５に記載のハンドオーバー方法。
【請求項７】
ＣＤＭＡ通信方式を用いた移動体通信システムに含まれ、夫々基地局を有する複数のセル間の移動に伴い、接続する前記基地局が変更される際にハンドオーバーを行う制御部を備え、前記制御部は、前記基地局から送信されるハンドオーバー先として未検出のセルが指定されたハンドオーバー開始メッセージに対して、ハンドオーバー前の受信パス位置とハンドオーバー後の受信パス位置とが同じであると推定して、前記未検出セルに対するハンドオーバーを行うことを特徴とする移動機。
【請求項８】
複数の前記基地局と接続できるようにされ、前記制御部が行うハンドオーバーは、自らの進行に伴い、接続する前記基地局が追加されたり削除されたりするソフトハンドオーバーであることを特徴とする請求項７に記載の移動機。
【請求項９】
前記移動機が前記基地局に接続され、前記制御部が行うハンドオーバーは、自らの進行に伴い、接続する前記基地局が順次切り替えられるハードハンドオーバーであり、前記制御部は、前記ハードハンドオーバー開始メッセージに含まれるハードハンドオーバー後のデータの送信タイミングがハンドオーバー前と同じに指定されている場合に、前記推定をしてハンドオーバーを行うことを特徴とする請求項７に記載の移動機。
【発明の詳細な説明】
【技術分野】
【０００１】
この発明は、通信方式としてＣＤＭＡ方式を用いた移動体通信システムのハンドオーバー方法及びこのハンドオーバー方法を用いる移動機に関するものである。
【背景技術】
【０００２】
通信方式としてＷ−ＣＤＭＡ(Wideband-code division multiple access)方式を用いる移動機のハンドオーバー制御方法は、例えば、第３世代移動体通信システムの標準化プロジェクト３ＧＰＰ(3rd Generation Partnership Project)にて規定されている。この３ＧＰＰでは、ハンドオーバーの種類として、ソフトハンドオーバーとハードハンドオーバーとが規定されている。
【０００３】
ソフトハンドオーバーは、移動機が複数の基地局と接続できる制御方法で、移動機の移動に伴って、移動機と接続する基地局を追加したり削除したりしていくハンドオーバーであり、移動機が現在通信しているセルとの通信を継続させたまま、別のセルとの通信が開始可能である。これに対して、ハードハンドオーバーは、移動に伴って接続する基地局を切り替えていくハンドオーバーである。そのため、ハンドオーバーの際には、一旦現在の通信を切断し、その後新たに別のセルと通信を開始する。
【０００４】
ハンドオーバーの動作は、基地局から移動機に向けてソフトハンドオーバーまたはハードハンドオーバーの開始を指示するメッセージが送信されることで開始される。このハンドオーバー開始のメッセージには、ハンドオーバー対象セルを特定するためのスクランブリングコード情報と、対象セルで送信されている共通制御チャネルから得られるＳＦＮ(System Frame Number)の先頭位置からデータ送信チャネルの受信パス位置となるＣＦＮ(Connection Frame Number)の先頭位置までの時間を示すオフセット値とが含まれている。
【０００５】
図１１にハンドオーバーの動作における受信パス位置の算出方法を示す。図１１において横軸は時間の経過を示している。図１１はハンドオーバー元セルからハンドオーバー対象セルへハンドオーバーされた様子を示している。ハンドオーバー元セルは、ＳＦＮの先頭位置が位置ＰＳ０２ａ、受信パス位置が位置ＰＳ０１ａ、オフセットがＤ０１ａとされている。ハンドオーバー対象セルは、ＳＦＮの先頭位置が位置ＰＳ０２ｂ、受信パス位置が位置ＰＳ０１ｂ、オフセットがＤ０１ｂである。ハンドオーバーの動作は、ＳＦＮの先頭位置からオフセット値だけ離れた位置の受信パス位置に基づいて行われなければならない。
【０００６】
通常、移動機は既に検出したセルの情報として、スクランブリングコードとＳＦＮの先頭位置を内部情報として保持している。そのため、ハンドオーバーが指示された場合、保持している情報から指定されたスクランブリングコードを検索することで、対象セルを認識し、該対象セルのＳＦＮの先頭位置を知ることができる。そして、このＳＦＮの先頭位置からオフセット値Ｄ０１ｂだけ遅れたタイミング位置の受信パス位置を求め、この受信パス位置に基づいて、ハードハンドオーバーを開始する。このようにして、移動機はハンドオーバー対象セルのＳＦＮの先頭位置からオフセット値だけ離れた位置を受信パス位置と判断して、データの受信を開始する。
【０００７】
しかしながら、３ＧＰＰによる規定では、基地局は移動機が検出していないセルに対してもハンドオーバーを指定することが可能とされている。この場合、移動機は基地局が指定したセルに対して情報を保持していないため、セルサーチを行うことによって新規に対象セルを検出しＳＦＮの取得を行う必要がある。
【０００８】
図１２は従来の移動機のハンドオーバーに係る動作を示すフローチャート図である。図１２において、移動機は基地局からメッセージを受信すると（ステップＳ２１）、まずそのメッセージがハンドオーバーの開始のメッセージであるか否かの判断をする（ステップＳ２２）。そして、ハンドオーバー開始メッセージであった場合には、次にそのハンドオーバー先が、検出済のセルであるか否かの判断をする（ステップＳ２３）。そして、それが未検出のセルであった場合、セルサーチを行う（ステップＳ２４）。
【０００９】
次に、受信したハンドオーバー開始メッセージがソフトハンドオーバーのものであるか否かの判断をする（ステップＳ２５）。そして、それがソフトハンドオーバーのものであった場合、ソフトハンドオーバーを実行し（ステップＳ２６）、ソフトハンドオーバーでなかった場合、ハードハンドオーバーを行う（ステップＳ２７）。
【００１０】
具体例を示す。図１３はソフトハンドオーバー開始メッセージ中に移動機ＭＳ１１に対する未検出セルである基地局ＢＳ１１が指定された場合のソフトハンドオーバーシーケンスの動作を示すシーケンスチャート図である。図１３において縦軸は時間の経過を示している。移動機ＭＳ１１は、位置Ｐ１１にてソフトハンドオーバー開始メッセージを受信する。そして、ソフトハンドオーバーの実行に先立って基地局ＢＳ１１に対するセルサーチを行う。
【００１１】
図１４はハードハンドオーバー開始メッセージ中に移動機ＭＳ２１に対する未検出セルである基地局ＢＳ２１が指定された場合のソフトハンドオーバーシーケンスの動作を示すシーケンスチャート図である。移動機ＭＳ２１は、ハードハンドオーバーに先立って基地局ＢＳ２１に対するセルサーチを行う。
【００１２】
ハンドオーバーに先立ってセルサーチを行うと、対象セルとの通信を開始する時間が遅れてしまい通信品質が劣化する。そのため、従来よりセルサーチ時間を短縮するいくつかの提案がされている。そのひとつとして、複数の基地局からの送信信号の位相差を移動機が測定し、それを基地局に通知することで基地局が保持し、ハンドオーバー開始時に基地局より移動機にこの位相差を通知されることでセルサーチにかかる時間を短縮するという方法が提案されている（例えば、特許文献１参照）。
【００１３】
【特許文献１】特開２０００−３５８２６６号公報（第４−７頁、第３図）
【発明の開示】
【発明が解決しようとする課題】
【００１４】
通信方式としてＷ−ＣＤＭＡ方式を用いる移動機は、複数のセル間を移動しながら通信を継続するためにハンドオーバー制御を行うことが必須である。ハンドオーバーにかかる時間は、長くなると通信品質が劣化するのでできるだけ短時間で完了することが望ましい。
【００１５】
上述の特許文献１の提案するセルサーチ時間の短縮方法は、基地局から周辺セルの位相差情報を取得することによりセルサーチに費やす時間を短縮することができるものの、ハンドオーバー前にセルサーチによってセルを検出し、ＳＦＮの先頭位置の取得を行わなければならず、セルサーチが完了しないとハンドオーバーを開始することができないという未解決の課題を有している。また、基地局周辺セルに位相差情報が存在しない場合は、効果が期待できないという別の未解決の課題も有している。
【００１６】
この発明は上述のような課題を解決するためになされたもので、ハンドオーバー開始時に移動機がハンドオーバーの対象セルを検出してない場合であっても、セルサーチを行うことなくハンドオーバーをすることができるハンドオーバー方法を得ることを目的とする。また、このハンドオーバー方法を用いる移動機を得ることを目的とする。
【課題を解決するための手段】
【００１７】
この発明のハンドオーバー方法は、ＣＤＭＡ通信方式を用いた移動体通信システムにおいて、夫々基地局を有する複数のセル間を移動する移動機の進行に伴い、移動機と接続する基地局が変更される際に行われるハンドオーバーの方法であって、ハンドオーバー先として移動機が検出していないセルを指定したハンドオーバー開始メッセージが基地局から送信されたとき、移動機はハンドオーバー前の受信パス位置とハンドオーバー後の受信パス位置とが同じであると推定して、未検出セルに対するハンドオーバーを行う。
【００１８】
また、この発明の移動機は、ＣＤＭＡ通信方式を用いた移動体通信システムに含まれ、夫々基地局を有する複数のセル間の移動に伴い、接続する基地局が変更される際にハンドオーバーを行う制御部を備え、制御部は、基地局から送信されるハンドオーバー先として未検出のセルが指定されたハンドオーバー開始メッセージに対して、ハンドオーバー前の受信パス位置とハンドオーバー後の受信パス位置とが同じであると推定して、前記未検出セルに対するハンドオーバーを行う。
【発明の効果】
【００１９】
ハンドオーバー開始時に移動機がハンドオーバー対象となるセルを検出していない場合であっても、セルサーチを行うことなくハンドオーバーをすることができ、通信品質の劣化の抑制をすることができるともに、通話が瞬断される時間の短縮をすることができる。
【発明を実施するための最良の形態】
【００２０】
実施の形態１．
図１はこの発明に係る移動体通信システムのセル、基地局及び移動機の様子を示す模式図である。Ｗ−ＣＤＭＡ通信方式を用いた移動体通信システム１００は、分割されたセルＣにそれぞれ設けられ、各セルＣをカバーする複数の基地局ＢＳと、当該セルＣ内に存在し、基地局ＢＳとの間に無線チャネルを設定して通信を行う移動機ＭＳとを有している。
【００２１】
図２は図１の移動機ＭＳの構成を示すブロック図である。図２において、移動機ＭＳは、送受信部１、信号処理部２、制御部３及びセルサーチ部４を有している。送受信部１は、無線信号の送信及び受信機能を持つ回路で構成されている。信号処理部２は、送受信部１で送受信されるデータの制御、及びセルサーチ部４の動作の管理を行う回路で構成されている。制御部３は、信号処理部２の動作を管理し、移動機ＭＳ全体の制御を行うため回路で構成されている。セルサーチ部４は、セル検出機能を持つ回路であり、信号処理部２によって管理されている。
【００２２】
次に上述の移動機ＭＳの動作について説明する。送受信部１は、基地局ＢＳ（図１）からの信号を受信すると、これを逆拡散して信号処理部２へ出力する。信号処理部２は入力された逆拡散後の信号をデコードしてデータを取り出しメッセージとして制御部３へ出力する。制御部３はこのメッセージを解析して所定の動作を行う。制御部３はセルサーチが必要であると判断したときは信号処理部２にセルサーチ部４を動作させるための制御データを入力し、信号処理部２からの指示によってセルサーチ部４は未検出セルに対するセルサーチを行う。制御部３によってセルサーチの必要がないと判断されたときは、セルサーチ部４を動作させずに信号処理部２へ制御データを入力してハンドオーバーを開始する。
【００２３】
図３はこの発明の実施の形態１の移動機の動作を示すフローチャート図である。移動機ＭＳの制御部３は、送受信部１が信号を受信しこれをデコードしたメッセージが制御部３に入力されると（ステップＳ１）、まず、そのメッセージが、ハンドオーバー開始メッセージであるか否かの判断をする（ステップＳ２）。そして、ハンドオーバー開始メッセージであった場合に、次にそのハンドオーバーがソフトハンドオーバーであるか否かの判断をする（ステップＳ３）。そして、それがソフトハンドオーバー開始メッセージであった場合、即座にソフトハンドオーバーを実行する（ステップＳ４）。
【００２４】
一方、ステップＳ３でソフトハンドオーバーでなかった場合、受信したメッセージが、ハードハンドオーバーであると判断する。そして次に制御部３は、ハンドオーバー先として指定されたセルが検出済のセルであるか否かを判断する（ステップＳ５）。そして、検出済のセルである場合は、ハードハンドオーバーを行う（ステップＳ８）。
【００２５】
一方、ステップＳ５で検出済のセルでなかった場合、受信したメッセージに含まれるデータ送信のタイミングの指定が現在のものと同じものであるか否か、すなわち、送信タイミングの変更があるか否かを判断する。そして、送信タイミングの変更が無ければ、すぐにハードハンドオーバーを行い（ステップＳ８）送信タイミングの変更が有れば、まずセルサーチを行って（ステップＳ７）、その後にハードハンドオーバーを行う（ステップＳ８）。
【００２６】
つまり本実施の形態のハンドオーバー方法においては、ステップＳ３に示すように、受信したメッセージが、ソフトハンドオーバー開始メッセージであった場合に、セルサーチをせずにすぐにソフトハンドオーバーを行う。すなわち、ソフトハンドオーバーのメッセージであった場合には、指定されたソフトハンドオーバー先が未検出のセルであるか否かにかかわらず、セルサーチをしない。
【００２７】
また、受信したメッセージがハードハンドオーバー開始のメッセージであった場合には、指定されたハードハンドオーバー先が検出済みのセルであれば、もちろん従来と同じようにセルサーチを行わないが、未検出のセルであってもハードハンドオーバー完了後の送信タイミングの変更がなければ、ステップＳ６に示すようにセルサーチをせずにすぐにハードハンドオーバーを行う。ハードハンドオーバー後に送信タイミングが変更されるか否かは、ハンドオーバー開始メッセージに含まれるタイミング情報により知ることができる。
【００２８】
この根拠を説明する。まず、ステップＳ３に示されるように、受信したメッセージが、ソフトハンドオーバー開始メッセージであった場合にセルサーチをせずにすぐにソフトハンドオーバーを行うことができると判断する根拠は、Ｗ−ＣＤＭＡの３ＧＰＰによれば、ソフトハンドオーバーのメッセージを送る際には、ソフトハンドオーバー動作前に移動機ＭＳが設定しているデータ受信パス位置と同じ位置に基地局ＢＳがデータを送信することが規定されている。そのため、セルサーチによってセルを検出しなくても、ソフトハンドオーバー前のデータ受信パス位置がソフトハンドオーバー後のデータ受信パス位置と推定できるからである。
【００２９】
次に、ステップＳ３，Ｓ５及びＳ６に示されるように、受信したメッセージが、ハードハンドオーバー開始メッセージであった場合で、指定されたハードハンドオーバー先が未検出のセルであっても送信タイミングの変更がなければ、セルサーチをせずにすぐにハードハンドオーバーを行うことができると判断する根拠は、移動機ＭＳのデータ受信タイミングと送信タイミングの差は固定であるため、ハードハンドオーバー後も送信タイミングが変更されないということは、受信タイミングも変更されないと推定できるからである。
【００３０】
上記以外の場合、すなわち、ハードハンドオーバー開始メッセージであった場合で、且つハードハンドオーバー後の送信タイミングが変更される場合は、制御部３はハンドオーバー前にセルサーチを行う必要があると判断する。これらの制御部３による判断は図８のようにまとめることができる。
【００３１】
以上のように、制御部３が未検出セルへのセルサーチを行わずにハンドオーバー処理を開始することによって、図１３に示すような従来のソフトハンドオーバーシーケンスで発生していた未検出セルである基地局ＢＳ１１を検出するためのセルサーチ処理時間Ｔ１１が削減され、高速にソフトハンドオーバーを実施することができる。また、同じくセルサーチ処理時間Ｔ１１の削減によって、セルサーチをしている間に基地局ＢＳ１１からの送信データが干渉となって通信品質が劣化することを防ぐことができる。
【００３２】
同様に、制御部３が未検出セルへのセルサーチを行わずにハンドオーバー処理を開始することによって、図１４に示すような従来のハードハンドオーバーシーケンスで発生していた未検出セルである基地局ＢＳ２１を検出するためのセルサーチ処理時間Ｔ２１が削減される。そして、高速にハードハンドオーバーを実施することができる。また、同じくセルサーチ処理時間Ｔ２１の削減によって、基地局ＢＳ２１との通信開始時間の遅れによる通信の瞬断時間を短縮することができる。さらにまた、セルサーチを行わないことによって、消費電力の削減が期待できる。
【００３３】
図４はソフトハンドオーバー開始メッセージ中に移動機ＭＳ３１に対して未検出のセルの基地局ＢＳ３１が指定された場合のソフトハンドオーバーシーケンスの動作を示すシーケンスチャート図である。図４において、位置Ｐ３１で移動機ＭＳ３１はソフトハンドオーバー開始メッセージを受信する。このとき、ソフトハンドオーバー開始メッセージにはハンドオーバー先として未検出セルである基地局ＢＳ３１が指定されている。移動機ＭＳ３１は、ソフトハンドオーバー時に未検出セルである基地局ＢＳ３１が指定されても、セルサーチを行わない。
【００３４】
そして、基地局ＢＳ３２からのデータ受信パス位置と同じ位置に基地局ＢＳ３１がデータを送信することを期待してソフトハンドオーバーを開始する。位置Ｐ３１からソフトハンドオーバーの完了メッセージを通知する位置Ｐ３３までの時間Ｔ３２は、ソフトハンドオーバーにかかる制御遅延である。
【００３５】
図５は未検出セルである基地局ＢＳ４１を検出しないでソフトハンドオーバーを完了し、その後にセルサーチを行う例を示すシーケンスチャート図である。位置Ｐ４３にて、未検出セルである基地局ＢＳ４１に対してセルサーチを行わずにソフトハンドオーバーを完了させ、その後、セルサーチを行い位置Ｐ４４で基地局ＢＳ４１を検出する。この例では高速にソフトハンドオーバーを実現すると共に、推定した受信パス位置の誤判定を防ぐことができる。
【００３６】
図６はハードハンドオーバー開始メッセージ中に移動機ＭＳ５１に対する未検出セルの基地局ＢＳ５１が指定された場合のハードハンドオーバーシーケンスの動作を示すシーケンスチャート図である。図６において、位置Ｐ５１で移動機ＭＳ５１はハードハンドオーバー開始メッセージを受信する。このとき、ハードハンドオーバー開始メッセージにはハンドオーバー先として未検出セルである基地局ＢＳ５１が指定されている。移動機ＭＳ５１は、ハードハンドオーバー時に未検出セルである基地局ＢＳ５１が指定されても、ハンドオーバーの前後で送信タイミングが変更されないのであれば、移動機ＭＳ５１はセルサーチを行わなくてよいと判断し、基地局ＢＳ５２からのデータ受信パス位置と同じ位置に基地局ＢＳ５１がデータを送信することを期待してハードハンドオーバーを開始する。位置Ｐ５２からハードハンドオーバーの完了メッセージを通知する位置Ｐ５３までの時間Ｔ５２は、ハードハンドオーバーにかかる制御遅延である。
【００３７】
図７はハードハンドオーバーの後にセルサーチを行うようにしたハードハンドオーバーシーケンスの動作を示すシーケンスチャート図である。シーケンスチャート図に示すように、位置Ｐ６３で基地局ＢＳ６１を検出しないでハードハンドオーバーを実施した後で、セルサーチを行うことによって、位置Ｐ６４で基地局ＢＳ６１を検出し、高速にハードハンドオーバーを実現すると共に、推定した受信パス位置の誤判定を防ぐことができる。
【００３８】
このように本実施の形態のハンドオーバー方法は、ハンドオーバー先として移動機ＭＳが未検出のセルが指定されたメッセージが基地局ＢＳから移動機ＭＳに送信されたとき、移動機ＭＳは現在の受信パス位置とハンドオーバー後の受信パス位置とが同じであると推定して、未検出セルに対するハンドオーバーを行う。
【００３９】
また、移動機ＭＳが複数の基地局ＢＳと接続可能とされ、ハンドオーバーが、移動機ＭＳの進行に伴い、移動機ＭＳと接続する基地局ＢＳが追加されたり削除されたりするソフトハンドオーバーである場合に、移動機ＭＳは指定されたソフトハンドオーバー先が未検出のセルであるか否かにかかわらず、セルサーチをしない。そのため、セルサーチ時間によるソフトハンドオーバーの遅れによって、ハンドオーバー先セルからの送信データが干渉となって通信品質が劣化することを防ぐことができる。
【００４０】
さらに、ハンドオーバーが、移動機ＭＳの移動に伴い移動機ＭＳと接続する基地局ＢＳが順次切り替えられるハードハンドオーバーであって、さらにメッセージに含まれるハードハンドオーバー後のデータの送信タイミングがハンドオーバー前と同じに指定されている場合に、移動機ＭＳはハンドオーバーを行う。そのため、セルサーチによる瞬断時間を短縮することができる。
【００４１】
さらにまた、ハンドオーバーの後に、未検出セルに対してセルサーチを行う。そのため、未検出セルの受信パス位置の誤判定を防ぐことができる。
【００４２】
実施の形態２．
図９はこの発明の実施の形態２のソフトハンドオーバー方法を説明するＳＦＮ先頭位置の算出方法を示すタイムチャート図である。本実施の形態は、実施の形態１の図５で示したソフトハンドオーバー完了後に基地局を特定する例をさらに改善させた例である。ソフトハンドオーバー開始メッセージに含まれるソフトハンドオーバー対象セルの共通制御チャネルとデータ送信チャネルのオフセット値Ｄ０１を用いることによって、移動機はハンドオーバー対象である基地局のＳＦＮ先頭位置を推定する。
【００４３】
図９において、データ受信パス位置ＰＳ０１が先の処理により推定されたとする。そして、このデータ受信パス位置ＰＳ０１から、オフセット値Ｄ０１だけ先行した地点位置ＰＳ０２をＳＦＮの先頭位置と推定することで、セルサーチを行わずにＳＦＮの先頭位置が特定できる。そのため、セルサーチによる電力消費を抑えることができる。また、本実施の形態は、図７のハードハンドオーバー完了後に基地局を特定する方法についても同様に適用することができる。
【００４４】
このように本実施の形態のハンドオーバー方法においては、ハンドオーバーの後に、ハンドオーバー開始メッセージに含まれたオフセットに基づいて未検出セルのＳＦＮの先頭位置を算出する。そのため、計算式から推定することで未検出セルのＳＦＮの先頭位置を正確に求めることができる。また、セルサーチを行わずにＳＦＮの先頭位置を知ることができ省電力化を図ることができる。
【００４５】
実施の形態３．
図１０はこの発明の実施の形態３のソフトハンドオーバー方法を説明する一部フローチャート図を組み込んだシーケンスチャート図である。本実施の形態は、実施の形態１の図５で示したソフトハンドオーバー完了後に基地局を特定する例をさらに改善させた例である。図１０において、移動機ＭＳ７１は、常時通信品質を調べ、それを保持している（ステップＳ１１）。そして、ソフトハンドオーバー開始メッセージを受信すると（ステップＳ１２）、実施の形態１の図５の例と同じように、セルサーチをすくことなくソフトハンドオーバーの動作を行って完了メッセージを送信する（ステップＳ１３）。
【００４６】
移動機ＭＳ７１は、その後通信品質を調べ（ステップＳ１４）、それをハンドオーバー前に保持していたものと比較する（ステップＳ１５）。その結果、通信品質がハンドオーバー前のものより劣化していることが検出されると（ステップＳ１６）、推定した受信パス位置が誤っていたと判断して位置Ｐ７４からセルサーチによるセル検出を行う。
【００４７】
このように本実施の形態のソフトハンドオーバー方法においては、ハンドオーバーを行う前に、予め通信品質を求めておき、ハンドオーバーを行い算出されたパス位置で通信を開始した後に、再度通信品質を求め、ハンドオーバー前よりも通信品質が劣化した場合にセルサーチを行う。そのため、高速にソフトハンドオーバーを実現できるようにすると共に、必要なときだけセルサーチを行うことによって消費電力が削減され、且つ推定した受信パス位置の誤判定による通信品質の劣化を最小限にすることができる。
【００４８】
なお、図１０の方法において、ステップＳ１５にて通信品質の劣化を判断するための閾値を設け、閾値以上の劣化が確認された場合にセルサーチを行う方法もある。また、図１０に示した方法は、図７のハードハンドオーバー完了後に基地局を特定する方法についても同様に適用することができる。
【産業上の利用可能性】
【００４９】
ＣＤＭＡ通信方式を用いた移動体通信システムの複数のセル間を移動する移動機の進行に伴って行われるハンドオーバーに最適なものである。また、このハンドオーバーを行う移動体通信システムの移動機に最適なものである。
【図面の簡単な説明】
【００５０】
【図１】この発明に係る移動体通信システムのセル、基地局及び移動機の様子を示す模式図である。
【図２】図１の移動機の構成を示すブロック図である。
【図３】この発明の実施の形態１の移動機の動作を示すフローチャート図である。
【図４】ソフトハンドオーバー開始メッセージ中に未検出セルの基地局が指定された場合のソフトハンドオーバーシーケンスの動作を示すシーケンスチャート図である。
【図５】未検出セルを検出しないでソフトハンドオーバーを完了し、その後にセルサーチを行うシーケンスチャート図である。
【図６】ハードハンドオーバー開始メッセージ中に未検出セルの基地局が指定された場合のハードハンドオーバーシーケンスの動作を示すシーケンスチャート図である。
【図７】ハードハンドオーバー完了後に基地局を特定する方法を示すシーケンスチャート図である。
【図８】制御部の判断のしかたを表す図表である。
【図９】この発明の実施の形態２のソフトハンドオーバー方法を説明する受信パス位置の算出方法を示すタイムチャート図である。
【図１０】この発明の実施の形態３のソフトハンドオーバー方法を説明する一部フローチャート図を組み込んだシーケンスチャート図である。
【図１１】従来のハンドオーバーの動作における受信パス位置の算出方法を示すタイムチャート図である。
【図１２】従来の移動機のハンドオーバーに係る動作を示すフローチャート図である。
【図１３】従来のソフトハンドオーバーシーケンスの動作を示すシーケンスチャート図である。
【図１４】従来のハードハンドオーバーシーケンスの動作を示すシーケンスチャート図である。
【符号の説明】
【００５１】
１００  移動体通信システム
ＢＳ  基地局
Ｃ  セル
ＭＳ  移動機
１  送受信部
２  信号処理部
３  制御部
４  セルサーチ部
【図１】
2005295358.tif 000003
【図２】
2005295358.tif 000004
【図３】
2005295358.tif 000005
【図４】
2005295358.tif 000006
【図５】
2005295358.tif 000007
【図６】
2005295358.tif 000008
【図７】
2005295358.tif 000009
【図８】
2005295358.tif 000010
【図９】
2005295358.tif 000011
【図１０】
2005295358.tif 000012
【図１１】
2005295358.tif 000013
【図１２】
2005295358.tif 000014
【図１３】
2005295358.tif 000015
【図１４】
2005295358.tif 000016